(57)【要約】      （修正有）【課題】集魚効果を高めることができるバズベイト型ルアーを提供する。【解決手段】バズベイト型ルアーＢはワイヤー２の周りをブレード１が回転するバズベイト型ルアーＢであって、ブレード１はプロペラ部１１ａ、１１ｂと前側支持部１２と後側支持部１３とを有し、後側支持部１３は前側支持部１２よりプロペラ部１１ａ、１１ｂに近い側に位置し、前側支持部１２はブレード１の平坦面１Ａより立ち上がる前側立上部と、この前側立上部より折り返してブレード１の平坦面１Ａに向かう前側折り返し部とを有し、前側立上部に第１の孔が設けられ、前側折り返し部に第２の孔が設けられ、後側支持部１３に少なくとも第１’の孔が設けられ、ワイヤー２は少なくとも第１の孔と第２の孔と第１’の孔に挿通され、ブレード１は前側支持部１２及び後側支持部１３を介してワイヤー２に支持されているものである。【選択図】図１
2018074908.tif 000002
【特許請求の範囲】
【請求項１】
ワイヤーの周りをブレードが回転するバズベイト型ルアーであって、
前記ブレードは、プロペラ部と前側支持部と後側支持部とを有し、
前記後側支持部は、前記前側支持部より前記プロペラ部に近い側に位置し、
前記前側支持部は、前記ブレードの平坦面より立ち上がる前側立上部と、この前側立上部より折り返して前記ブレードの平坦面に向かう前側折り返し部とを有し、
前記前側立上部に第１の孔が設けられ、
前記前側折り返し部に第２の孔が設けられ、
前記後側支持部に、少なくとも、第１’の孔が設けられ、
前記ワイヤーは、少なくとも、前記第１の孔と前記第２の孔と前記第１’の孔に挿通され、
前記ブレードは、前記前側支持部及び前記後側支持部を介して前記ワイヤーに支持されている
ことを特徴とするバズベイト型ルアー。
【請求項２】
ワイヤーの周りをブレードが回転するバズベイト型ルアーであって、
前記ブレードは、プロペラ部と前側支持部と後側支持部とを有し、
前記後側支持部は、前記前側支持部より前記プロペラ部に近い側に位置し、
前記後側支持部は、前記ブレードの平坦面より立ち上がる後側立上部と、この後側立上部より折り返して前記ブレードの平坦面に向かう後側折り返し部とを有し、
前記前側立上部に、少なくとも、第１の孔が設けられ、
前記後側立上部に第１’の孔が設けられ、
前記後側折り返し部に第２’の孔が設けられ、
前記ワイヤーは、少なくとも、前記第１の孔と前記第１’の孔と前記第２’の孔に挿通され、
前記ブレードは、前記前側支持部及び前記後側支持部を介して前記ワイヤーに支持されている
ことを特徴とするバズベイト型ルアー。
【請求項３】
前側支持部と後側支持部とは、ブレードの平坦面と異なる側に位置し、
前記ブレードの略中央に貫通孔が設けられ、
ワイヤーは、少なくとも、第１の孔、第２の孔、前記貫通孔、第１’の孔に挿通され、
前記ブレードは、前記前側支持部及び前記後側支持部を介して前記ワイヤーに支持されている
ことを特徴とする請求項１記載のバズベイト型ルアー。
【請求項４】
前側支持部と後側支持部とは、ブレードの平坦面と異なる側に位置し、
前記ブレードの略中央に貫通孔が設けられ、
ワイヤーは、少なくとも、第１の孔、前記貫通孔、第１’の孔、第２’の孔に挿通され、
前記ブレードは、前記前側支持部及び前記後側支持部を介して前記ワイヤーに支持されている
ことを特徴とする請求項２記載のバズベイト型ルアー。
【請求項５】
前側折り返し部の先端がブレードの平坦面に離間しているか、
又は、
後側折り返し部の先端が前記ブレードの平坦面に離間しているか、
であることを特徴とする請求項１〜４記載のいずれかに記載のバズベイト型ルアー。
【請求項６】
前側折り返し部の先端がブレードの平坦面に接触しているか、
又は、
後側折り返し部の先端が前記ブレードの平坦面に接触しているか、
であることを特徴とする請求項１〜４記載のいずれかに記載のバズベイト型ルアー。
【発明の詳細な説明】
【技術分野】
【０００１】
本発明は、バズベイト型ルアーに係り、特に、集魚効果を高めることができるバズベイト型ルアーに関する。
【背景技術】
【０００２】
従来、例えば、水面付近で回転運動を起こしながら、光を反射し又は振動波、音、泡を出すようにしたブレードを備えたバズベイト型ルアーがある（特許文献１参照）。
これは、ブレードが前側支持部（前側軸受）と後側支持部（後側軸受）の２点を介してワイヤーに支持されている。
【先行技術文献】
【特許文献】
【０００３】
【特許文献１】特開２０００−６９８８２号公報
【発明の概要】
【発明が解決しようとする課題】
【０００４】
しかしながら、上記バズベイト型ルアーにあっては、ブレードを前側支持部（前側軸受）の１点と後側支持部（後側軸受）の１点でそれぞれ支持しているため、不安定でブレードの回転が安定せず、ルアーを投入してブレードの回転による立ち上がりに要する時間が長くなり、狙った場所でのバズベイト型ルアーの効果を発揮できず、集魚効果の点で不十分で、しかも、ブレードの回転による摩耗によって前側支持部（前側軸受）又は後側支持部（後側軸受）の孔からブレードが破損し、ブレードの一部がワイヤーから逸脱するという問題点が生じた。
【０００５】
本発明は、前記問題点を考慮してなされたもので、集魚効果を高めることができるバズベイト型ルアーを提供することを目的とする。
【課題を解決するための手段】
【０００６】
請求項１記載のバズベイト型ルアーは、ワイヤーの周りをブレードが回転するバズベイト型ルアーであって、前記ブレードは、プロペラ部と前側支持部と後側支持部とを有し、前記後側支持部は、前記前側支持部より前記プロペラ部に近い側に位置し、前記前側支持部は、前記ブレードの平坦面より立ち上がる前側立上部と、この前側立上部より折り返して前記ブレードの平坦面に向かう前側折り返し部とを有し、前記前側立上部に第１の孔が設けられ、前記前側折り返し部に第２の孔が設けられ、前記後側支持部に、少なくとも、第１’の孔が設けられ、前記ワイヤーは、少なくとも、前記第１の孔と前記第２の孔と前記第１’の孔に挿通され、前記ブレードは、前記前側支持部及び前記後側支持部を介して前記ワイヤーに支持されているものである。
【０００７】
また、請求項２記載のバズベイト型ルアーは、ワイヤーの周りをブレードが回転するバズベイト型ルアーであって、前記ブレードは、プロペラ部と前側支持部と後側支持部とを有し、前記後側支持部は、前記前側支持部より前記プロペラ部に近い側に位置し、前記後側支持部は、前記ブレードの平坦面より立ち上がる後側立上部と、この後側立上部より折り返して前記ブレードの平坦面に向かう後側折り返し部とを有し、前記前側立上部に、少なくとも、第１の孔が設けられ、前記後側立上部に第１’の孔が設けられ、前記後側折り返し部に第２’の孔が設けられ、前記ワイヤーは、少なくとも、前記第１の孔と前記第１’の孔と前記第２’の孔に挿通され、前記ブレードは、前記前側支持部及び前記後側支持部を介して前記ワイヤーに支持されているものである。
【０００８】
また、請求項３記載のバズベイト型ルアーは、請求項１記載のバズベイト型ルアーにおいて、前側支持部と後側支持部とは、ブレードの平坦面と異なる側に位置し、前記ブレードの略中央に貫通孔が設けられ、ワイヤーは、少なくとも、第１の孔、第２の孔、前記貫通孔、第１’の孔に挿通され、前記ブレードは、前記前側支持部及び前記後側支持部を介して前記ワイヤーに支持されているものである。
【０００９】
また、請求項４記載のバズベイト型ルアーは、請求項２記載のバズベイト型ルアーにおいて、前側支持部と後側支持部とは、ブレードの平坦面と異なる側に位置し、前記ブレードの略中央に貫通孔が設けられ、ワイヤーは、少なくとも、第１の孔、前記貫通孔、第１’の孔、第２’の孔に挿通され、前記ブレードは、前記前側支持部及び前記後側支持部を介して前記ワイヤーに支持されているものである。
【００１０】
また、請求項５記載のバズベイト型ルアーは、請求項１〜４記載のいずれかに記載のバズベイト型ルアーにおいて、前側折り返し部の先端がブレードの平坦面に離間しているか、又は、後側折り返し部の先端が前記ブレードの平坦面に離間しているか、である。
【００１１】
また、請求項６記載のバズベイト型ルアーは、請求項１〜４記載のいずれかに記載のバズベイト型ルアーにおいて、前側折り返し部の先端がブレードの平坦面に接触しているか、又は、後側折り返し部の先端が前記ブレードの平坦面に接触しているか、である。
【発明の効果】
【００１２】
請求項１記載のバズベイト型ルアーによれば、ワイヤーは、少なくとも、第１の孔と第２の孔と第１’の孔に挿通され、ブレードは、前側支持部及び後側支持部を介してワイヤーに支持されている、つまり、ブレードは、前側支持部において、第１の孔と第２の孔の２カ所で支持され、従来の１カ所で支持したものに比べ、ブレードの回転がスムーズになり、安定して音を出すことができ、しかも、ルアーを投入してブレードの回転による立ち上がりに要する時間が短くなり、狙った場所でのバズベイト型ルアーの振動波、音、泡の効果をより発揮し、集魚効果を高めることができ、更に、摩耗による孔からのブレードの破損を防止することができる等の効果を有する。
【００１３】
また、請求項２記載のバズベイト型ルアーによれば、ワイヤーは、少なくとも、第１の孔と第１’の孔と第２’の孔に挿通され、ブレードは、前側支持部及び後側支持部を介して前記ワイヤーに支持されている、つまり、ブレードは、後側支持部において、第１’の孔と第２’の孔の２カ所で支持され、従来の１カ所で支持したものに比べ、ブレードの回転がスムーズになり、安定して音を出すことができ、しかも、ルアーを投入してブレードの回転による立ち上がりに要する時間が短くなり、狙った場所でのバズベイト型ルアーの振動波、音、泡の効果をより発揮し、集魚効果を高めることができ、更に、摩耗による孔からのブレードの破損を防止することができる等の効果を有する。
【００１４】
また、請求項３記載のバズベイト型ルアーは、上述した請求項１記載の発明の効果に加え、前側支持部と後側支持部とは、ブレードの平坦面と異なる側に位置し、前記ブレードの略中央に貫通孔が設けられ、ワイヤーは、少なくとも、第１の孔、第２の孔、前記貫通孔、第１’の孔に挿通され、前記ブレードは、前記前側支持部及び前記後側支持部を介して前記ワイヤーに支持されている、つまり、ワイヤーが、前側支持部の孔、貫通孔、後側支持部の孔を貫通するため、ブレードの回転が安定し、また、立ち上がりが早くなるものである。
【００１５】
また、請求項４記載のバズベイト型ルアーは、上述した請求項２記載の発明の効果に加え、前側支持部と後側支持部とは、ブレードの平坦面と異なる側に位置し、前記ブレードの略中央に貫通孔が設けられ、ワイヤーは、少なくとも、第１の孔、前記貫通孔、第１’の孔、第２’の孔に挿通され、前記ブレードは、前記前側支持部及び前記後側支持部を介して前記ワイヤーに支持されている、つまり、ワイヤーが、前側支持部の孔、貫通孔、後側支持部の孔を貫通するため、ブレードの回転が安定し、また、立ち上がりが早くなるものである。
【００１６】
また、請求項５記載のバズベイト型ルアーによれば、前側折り返し部の先端がブレードの平坦面に離間しているか、又は、後側折り返し部の先端が前記ブレードの平坦面に離間しているか、つまり、折り返し部の先端がブレードの平坦面に非接触であるため、折り返し部の振動による振動波、音が発生し、より集魚効果を有する。
【００１７】
また、請求項６記載のバズベイト型ルアーによれば、前側折り返し部の先端がブレードの平坦面に接触しているか、又は、後側折り返し部の先端が前記ブレードの平坦面に接触しているか、つまり、折り返し部の先端がブレードの平坦面に接触しているため、折り返し部がより安定してワイヤーを支持することができる。
【図面の簡単な説明】
【００１８】
【図１】図１は、本発明の一実施例のバズベイト型ルアーの写真である。
【図２】図２は、図１と異なる方向から撮影されたバズベイト型ルアーの写真である。
【図３】図３は、図１のバズベイト型ルアーの使用状態を示す概略的断面図である。
【図４】図４は、図１のバズベイト型ルアーの要部の概略的断面図である。
【図５】図５は、図１の実施例と異なる他の実施例のバズベイト型ルアーの要部の概略的断面図である。
【図６】図６は、図５の実施例と異なる他の実施例のバズベイト型ルアーの要部の概略的断面図である。
【図７】図７は、図６の実施例と異なる他の実施例のバズベイト型ルアーの要部の概略的断面図である。
【図８】図８は、図７の実施例と異なる他の実施例のバズベイト型ルアーの要部の概略的断面図である。
【図９】図９は、図８の実施例と異なる他の実施例のバズベイト型ルアーの要部の概略的断面図である。
【発明を実施するための形態】
【００１９】
本発明の一実施例のバズベイト型ルアーを図面（図１乃至図４）を参照して説明する。
図１に示すＢは、ワイヤー２の周りをブレード１が回転するバズベイト型ルアーで、バズベイト型ルアーＢは、竿（図示せず）を立てながら巻き、水面からブレード１のプロペラ部１１ａ、１１ｂを出しながら引いてくるルアーである。
【００２０】
ブレード１は、金属（例えば、アルミニウム、アルミニウム合金、真鍮、チタン等）の板を加工、プラスチックで一体成形したものであり、ブレード１は、プロペラ部１１ａ、１１ｂと前側支持部（前側軸受）１２と後側支持部（後側軸受）１３とを有している。    なお、後側支持部１３は、前側支持部１２よりプロペラ部１１ａ、１１ｂに近い側に位置している。
また、前側支持部１２は、ブレード１の平坦面１Ａより立ち上がる前側立上部１２Ａと、この前側立上部１２Ａより折り返してブレード１の平坦面１Ａに向かう前側折り返し部１２Ｂとを有し、前側折り返し部１２Ｂの先端１２Ｂ１はブレード１の平坦面１Ａに離間している。
そして、前側立上部１２Ａに第１の孔１２Ｘが設けられ、前側折り返し部１２Ｂに第２の孔１２Ｙが設けられている。前側支持部１２に位置するワイヤー２は、第１の孔１２Ｘと第２の孔１２Ｙに挿通され、ブレード１を支持するものである。また、後側支持部１３に、少なくとも、第１’の孔１３Ｘが設けられている。
このように、前側折り返し部１２Ｂの先端１２Ｂ１がブレード１の平坦面１Ａに離間し、つまり、前側折り返し部１２Ｂの先端１２Ｂ１がブレード１の平坦面１Ａに非接触であると、ワイヤー２が第１の孔１２Ｘに接触する際に発生する振動と音に加え、ワイヤー２が第２の孔１２Ｙに接触する際に発生する振動と音が加わる事で従来にない集魚効果をもたらすことができる。
【００２１】
ワイヤー２は、ステンレス、チタン等の金属線を屈曲形成したもので、 ワイヤー２は、少なくとも、第１の孔１２Ｘと第２の孔１２Ｙと第１’の孔１３Ｘに挿通され、ブレード１は、前側支持部１２及び後側支持部１３を介してワイヤー２に支持されている。
即ち、ワイヤー２の一端側に第１の孔１２Ｘ、第２の孔１２Ｙ、第１’の孔１３Ｘを介してブレード１が回転自在に支持され、ワイヤー２の他端側は屈曲し、針２Ａを形成している。ワイヤー２の一端側と他端側は、略平行となっている。
なお、ワイヤー２の一端側と他端側は、略平行となっているが、本願発明にあっては、これに限らず、ワイヤー２の一端側と他端側がワイヤー２の開放側に向かって広がる、例えば、「く」の字状のワイヤー２においても、同様に適用できるものである。
【００２２】
ワイヤー２のブレード１より針２Ａに近い側の位置にヘッド部３が取り付けられ、ヘッド部３にスカート４が取り付けられている。スカート４は、例えば、ラバー（より具体的には、シリコンゴム等）で形成されている。
なお、図１に示す５１、５２は、それぞれ第１、第２のビーズであり、２Ｂは、ライン６を係止する係止部である。また、図１に示す１４はリベット等で形成された鍔付き部材で、鍔付き部材１４は、ブレード１の抜けを防止し、ブレード１の回転を安定させると共に、ブレード１と接触して擦れ合うことで摩擦音を発生させることができる。
【００２３】
従って、上述したバズベイト型ルアーＢによれば、ワイヤー２は、少なくとも、第１の孔１２Ｘと第２の孔１２Ｙと第１’の孔１３Ｘに挿通され、ブレード１は、前側支持部１２及び後側支持部１３を介してワイヤー２に支持されている、つまり、ブレード１は、前側支持部１２において、第１の孔１２Ｘと第２の孔１２Ｙの２カ所で支持され、従来の１カ所で支持したものに比べ、ブレード１の回転がスムーズになり、安定して音を出すことができ、しかも、ルアーを投入してブレード１の回転による立ち上がりに要する時間が短くなり、狙った場所でのバズベイト型ルアーＢの振動波、音、泡の効果をより発揮し、集魚効果を高めることができ、更に、摩耗による孔からのブレード１の破損を防止することができる等の効果を有する。
【００２４】
上述の図１〜図４記載の実施例においては、前側折り返し部１２Ｂの先端１２Ｂ１がブレード１の平坦面１Ａに離間していたが、本願発明にあっては、これに限らず、例えば、図５に示すように、前側折り返し部１２Ｂの先端１２Ｂ１がブレード１の平坦面１Ａに接触していても良い。接触していると、前側折り返し部１２Ｂがより安定してワイヤー２を支持することができる。
なお、図５記載の実施例においても、図１〜図４記載と同様、ワイヤー２の一端側に第１の孔１２Ｘ、第２の孔１２Ｙ、第１’の孔１３Ｘを介してブレード１が回転自在に支持され、ワイヤー２の他端側は、図示しないが、屈曲し、針を形成し、ワイヤー２の一端側と他端側は、略平行となっている。
そして、図５記載の実施例において、図１〜図４記載の実施例と同一部分に同一符号を付してその説明を一部省略する。
【００２５】
上述の図１〜図５記載の実施例においては、前側支持部１２に前側折り返し部１２Ｂを設けたが、本願発明にあっては、これに限らず、例えば、図６に示すように、後側支持部１３に後側折り返し部１３Ｂを設けても良い。
即ち、ブレード１は、上述の図１〜図５記載の実施例と同様、前側支持部１２及び後側支持部１３を介してワイヤー２に支持され、後側支持部１３は、前側支持部１２よりプロペラ部１１ａ、１１ｂに近い側に位置している。
そして、後側支持部１３は、ブレード１の平坦面１Ａより立ち上がる後側立上部１３Ａと、この後側立上部１３Ａより折り返してブレード１の平坦面１Ａに向かう後側折り返し部１３Ｂとを有し、後側折り返し部１３Ｂの先端１３Ｂ１がブレード１の平坦面１Ａに離間している。
なお、後側折り返し部１３Ｂの先端１３Ｂ１がブレード１の平坦面１Ａに離間し、つまり、後側折り返し部１３Ｂの先端１３Ｂ１がブレード１の平坦面１Ａに非接触であるため、後側折り返し部１３Ｂの振動による振動波、音が発生し、より集魚効果を有する。
また、後側立上部１３Ａに第１’の孔１３Ｘが設けられ、後側折り返し部１３Ｂに第２’の孔１３Ｙが、前側立上部１２に、少なくとも、第１の孔１２Ｘが、それぞれ設けられ、ワイヤー２は、少なくとも、第１の孔１２Ｘと第１’の孔１３Ｘと第２’の孔１３Ｙに挿通され、後側立上部１３に位置するワイヤー２は、第１’の孔１３Ｘと第２’の孔１３Ｙに挿通され、ブレード１を支持するものである。
【００２６】
この図６記載の実施例のバズベイト型ルアーＢによれば、ワイヤー２は、少なくとも、第１の孔１２Ｘと第１’の孔１３Ｘと第２’の孔１３Ｙに挿通され、ブレード１は、前側支持部１２及び後側支持部１３を介してワイヤー２に支持されている、つまり、ブレード１は、後側支持部１３において、第１’の孔１３Ｘと第２’の孔１３Ｙの２カ所で支持され、従来の１カ所で支持したものに比べ、ブレード１の回転がスムーズになり、安定して音を出すことができ、しかも、ルアーを投入してブレード１の回転による立ち上がりに要する時間が短くなり、狙った場所でのバズベイト型ルアーＢの振動波、音、泡の効果をより発揮し、集魚効果を高めることができ、更に、摩耗による孔からのブレード１の破損を防止することができる等の効果を有する。
なお、図６記載の実施例においても、ワイヤー２の一端側に第１の孔１２Ｘ、第１’の孔１３Ｘ、第２’の孔１３Ｙを介してブレード１が、図１〜図５記載と同様、回転自在に支持され、ワイヤー２の他端側は、図示しないが、屈曲し、針を形成し、ワイヤー２の一端側と他端側は、略平行となっている。
そして、図６記載の実施例においては、図１〜図５記載の実施例と同一部分に同一符号を付してその説明を一部省略する。
【００２７】
上述の図６記載の実施例においては、後側折り返し部１３Ｂの先端１３Ｂ１がブレード１の平坦面１Ａに離間していたが、本願発明にあっては、これに限らず、例えば、図７に示すように、後側折り返し部１３Ｂの先端１３Ｂ１がブレード１の平坦面１Ａに接触していても良い。接触していると、後側折り返し部１３Ｂがより安定してワイヤー２を支持することができる。
なお、図７記載の実施例においても、ワイヤー２の一端側に第１の孔１２Ｘ、第１’の孔１３Ｘ、第２’の孔１３Ｙを介してブレード１が、図１〜図６記載と同様、回転自在に支持され、ワイヤー２の他端側は、図示しないが、屈曲し、針を形成し、ワイヤー２の一端側と他端側は、略平行となっている。
そして、図７記載の実施例においては、図１〜図６記載の実施例と同一部分に同一符号を付してその説明を一部省略する。
【００２８】
上述の図１〜図４記載の実施例の前側支持部１２と後側支持部１３とは、ブレード１の平坦面１Ａと同じ側に位置していたが、本願発明にあっては、これに限らず、図８記載のように、前側支持部１２と後側支持部１３とは、ブレード１の平坦面１Ａと異なる側（異なる側とは、図８で言えば、ブレード１の平坦面１Ａの裏面側）に位置していても良い。
即ち、ブレード１の略中央に貫通孔１Ｂが設けられ、ブレード１は、少なくとも、前側支持部１２の第１の孔１２Ｘ、第２の孔１２Ｙ、貫通孔１Ｂ、後側支持部１３の第１’の孔１３Ｘに挿通され、ブレード１は、前側支持部１２及び後側支持部１３を介してワイヤー２に支持されている。
なお、ワイヤー２が、前側支持部１２の孔１２Ｘ、１２Ｙ、貫通孔１Ｂ、後側支持部１３の孔１３Ｘを貫通するため、ブレード１の回転が安定し、また、立ち上がりが早くなる。
また、図８記載の実施例においても、ワイヤー２の一端側に第１の孔１２Ｘ、第２の孔１２Ｙ、第１’の孔１３Ｘを介して、図１〜図７記載と同様、ブレード１が回転自在に支持され、ワイヤー２の他端側は、図示しないが、屈曲し、針を形成し、ワイヤー２の一端側と他端側は、略平行となっている。
そして、図８記載の実施例においては、図１〜図７記載の実施例と同一部分に同一符号を付してその説明を一部省略する。
【００２９】
上述の図１〜図４記載の実施例の前側支持部１２と後側支持部１３とは、ブレード１の平坦面１Ａと同じ側に位置していたが、本願発明にあっては、これに限らず、図９記載のように、前側支持部１２と後側支持部１３とは、ブレード１の平坦面１Ａと異なる側（異なる側とは、図９で言えば、ブレード１の平坦面１Ａの裏面側）に位置していても良い。
即ち、ブレード１の略中央に貫通孔１Ｂが設けられ、ワイヤー２は、少なくとも、第１の孔１２Ｘ、貫通孔１Ｂ、第１’の孔１３Ｘ、第２’の孔１３Ｙに挿通され、ブレード１は、前側支持部１２及び後側支持部１３を介してワイヤー２に支持されている。
なお、ワイヤー２が、前側支持部１２の孔１２Ｘ、貫通孔１Ｂ、後側支持部１３の孔１３Ｘ、１３Ｙを貫通するため、ブレード１の回転が安定し、また、立ち上がりが早くなる。
また、図９記載の実施例においても、ワイヤー２の一端側に第１の孔１２Ｘ、第１’の孔１３Ｘ、第２’の孔１３Ｙを介して、図１〜図８記載と同様、ブレード１が回転自在に支持され、ワイヤー２の他端側は、図示しないが、屈曲し、針を形成し、ワイヤー２の一端側と他端側は、略平行となっている。
そして、図９記載の実施例においては、図１〜図８記載の実施例と同一部分に同一符号を付してその説明を一部省略する。
【００３０】
上述した図１〜図５、図８記載の実施例のように、ブレード１に前側折り返し部１２Ｂ、また、図６、図７、図９記載の実施例のように、ブレード１に後側折り返し部１３Ｂと、個別に折り返し部を設けたが、本願発明にあっては、これに限らず、図示しないが、ブレード１に前側折り返し部１２Ｂと後側折り返し部１３Ｂの二つの折り返し部を設けるようにしても良い。
要するに、本願発明にあっては、少なくとも、ブレード１に前側折り返し部１２Ｂか後側折り返し部１３Ｂか何れか一つあれば良い。
【符号の説明】
【００３１】
Ｂ      バズベイト型ルアー
１      ブレード
２      ワイヤー
１１    プロペラ部
１２    前側支持部
１２Ａ  前側立上部
１２Ｂ  前側折り返し部
１２Ｘ  第１の孔
１２Ｙ  第２の孔
１３    後側支持部
【図１】
2018074908.tif 000003
【図２】
2018074908.tif 000004
【図３】
2018074908.tif 000005
【図４】
2018074908.tif 000006
【図５】
2018074908.tif 000007
【図６】
2018074908.tif 000008
【図７】
2018074908.tif 000009
【図８】
2018074908.tif 000010
【図９】
2018074908.tif 000011